(57)【要約】【課題】外部供給された撮影画像データを内部記憶部にアルバム情報として収集保存するほか、可搬型の外部記録メディアがセットされていることを条件に当該外部記録メディアにも保存できるようにする。【解決手段】電子アルバム装置において、ＣＰＵ１は、可搬型の外部記録メディアであるＣＤ／ＤＶＤ１１がセットされているか否かを判別し、ＣＤ／ＤＶＤ１１がセットされていれば、メモリカード９から外部供給された撮影画像データを内部記憶部(内蔵ハードディスク)２にアルバム情報として収集保存するほかに、当該画像データをＣＤ／ＤＶＤ１１にも書き込んで記録保存させる。【選択図】  図1
2006128864.tif 000002
【特許請求の範囲】
【請求項１】
外部供給された撮影画像データを内部記憶部にアルバム情報として収集保存する電子アルバム装置であって、
可搬型の外部記録メディアがセットされているか否かを判別する判別手段と、
この判別手段によって可搬型の外部記録メディアがセットされていることが判別された場合に、前記撮影画像データを内部記憶部に書き込んで保存させるほか、当該画像データを前記外部記録メディアにも書き込んで保存させる書込制御手段と、
を具備したことを特徴とする電子アルバム装置。
【請求項２】
前記判別手段によって可搬型の外部記録メディアがセットされていることが判別された際に、前記内部記憶部に保存させる撮影画像データを当該外部記録メディアにも保存させるか否かを問い合わせるための確認メッセージを出力するメッセージ出力手段を設け、
この確認メッセージの出力に応答して記録保存を指示する肯定応答が入力された際に、前記撮影画像データを内部記憶部に保存させるほか、当該画像データを前記外部記録メディアにも保存させる、
ようにしたことを特徴とする請求項1記載の電子アルバム装置。
【請求項３】
外部供給された撮影画像データを取得して内部記憶部にアルバム情報として収集保存する電子アルバム装置であって、
可搬型の外部記録メディアがセットされているか否かを判別する判別手段と、
この判別手段によって可搬型の外部記録メディアがセットされていることが判別された場合に、前記撮影画像データを内部記憶部のみに保存させるか、前記可搬型の外部記録メディアのみに保存させるか、前記内部記憶部および可搬型の外部記録メディアの両方に保存させるかを問い合わせるための確認メッセージを出力するメッセージ出力手段と、
この確認メッセージの出力に応答して画像データの保存先が任意に選択指定された際に、選択指定された保存先に対して撮影画像データを記録保存させる書込制御手段と、
を具備したことを特徴とする電子アルバム装置。
【請求項４】
前記内部記憶部の空き容量に基づいて撮影画像データを内部記憶部に記録可能か否かを判別し、記録不可能な場合には、前記可搬型の外部記録メディアがセットされていることを条件に、当該撮影画像データを可搬型の外部記録メディアに書き込んで保存する、
ようにしたことを特徴とする請求項1あるいは請求項３記載の電子アルバム装置。
【請求項５】
前記可搬型の外部記録メディアの空き容量に基づいて撮影画像データを当該外部記録メディアに記録可能か否かを判別し、記録不可能な場合には、外部記録メディアの交換を促すメッセージを出力する、
ようにしたことを特徴とする請求項1あるいは請求項３記載の電子アルバム装置。
【請求項６】
画像データを内部記憶部に記録保存する画像処理装置であって、
第１の記録デバイスにセットされた第１の記録メディアから画像データを読み出して前記内部記憶部に転送記録させる際に、第２の記録デバイスに第２の記録メディアがセットされているか否かを判別する判別手段と、
この判別手段によって第２の記録メディアがセットされていることが判別された場合に、前記画像データを前記内部記憶部に書き込み記録させると共に、同一の画像データを前記第２の記録メディアにも書き込み記録する書込制御手段と、
を具備したことを特徴とする画像処理装置。
【請求項７】
コンピュータに対して、
可搬型の外部記録メディアがセットされているか否かを判別する機能と、
可搬型の外部記録メディアがセットされていることが判別された場合に、外部供給された撮影画像データを内部記憶部にアルバム情報として書き込んで収集保存するほか、当該画像データを前記外部記録メディアにも書き込んで保存する機能と、
を実現させるためのプログラム。
【請求項８】
コンピュータに対して、
可搬型の外部記録メディアがセットされているか否かを判別する機能と、
可搬型の外部記録メディアがセットされていることが判別された場合に、外部供給された撮影画像データを内部記憶部のみに保存させるか、前記可搬型の外部記録メディアのみに保存させるか、前記内部記憶部および可搬型の外部記録メディアの両方に保存させるかを問い合わせるための確認メッセージを出力する機能と、
この確認メッセージの出力に応答して画像データの保存先が任意に選択指定された際に、選択指定された保存先に対して撮影画像データを記録保存する機能と、
を実現させるためのプログラム。
【請求項９】
コンピュータに対して、
第１の記録デバイスにセットされた第１の記録メディアから画像データを読み出して前記内部記憶部に転送記録させる際に、第２の記録デバイスに第２の記録メディアがセットされているか否かを判別する機能と、
この判別手段によって第２の記録メディアがセットされていることが判別された場合に、前記画像データを前記内部記憶部に書き込み記録させると共に、同一の画像データを前記第２の記録メディアにも書き込み記録する機能と、
を実現させるためのプログラム。
【発明の詳細な説明】
【技術分野】
【０００１】
この発明は、外部供給された撮影画像データを内部記憶部にアルバム情報とし収集保存する電子アルバム装置および画像処理装置ならびにプログラムに関する。
【背景技術】
【０００２】
従来、カメラ撮影された画像データをパーソナルコンピュータ(ＰＣ)の内蔵ハードディスクに電子アルバムとして収集保存する代わりに、カメラ撮影された画像データが格納されている第１の着脱式記憶媒体と、電子アルバムのレイアウト情報が格納されている第２の着脱式記憶媒体とを設け、画像データをレイアウト上に配置することによって電子アルバムを作成して第１の着脱式記憶媒体に書き込むようにした電子アルバム作成装置が知られている（特許文献１参照）。
【特許文献１】特開２０００−００４４１９号公報
【発明の開示】
【発明が解決しようとする課題】
【０００３】
しかしながら、上述の特許文献の技術にあっては、カメラ撮影された画像データをＰＣ内蔵のハードディスクに電子アルバムとして収集保存する代わりに、着脱式の記憶媒体に保存することで、ＰＣの持ち運びが不用となるという効果を有するが、カメラ撮影された全ての画像データを着脱式の記憶媒体に記録保存するようにしているため、この記憶媒体(電子アルバム)を紛失するなどの危険性があるほかに、記憶媒体の数が増えれば増えるほど、その保管整理が困難なものとなる。
【０００４】
ところで、従来においては、内蔵ハードディスク(内部記憶部)を搭載し、かつ、ＣＤ／ＤＶＤなどの着脱式記録メディアにも撮影画像データを記録可能な電子アルバム装置が提案されている。この種の電子アルバム装置においては、画像データ(静止画あるいは動画)を内部記憶部および記録メディアの両方に記録保存させれば、電子アルバムとして恒久的に保管することができると共に、被写体としての人物に対して記録メディアをプレゼントしたり、ＰＣあるいはテレビジョン受像機に挿入してスライドショー再生することが可能となる。ここで、画像データを内部記憶部および記録メディアの両方に記録保存させる場合、画面データを保存先毎に別々に入力して保存指示操作を行ったり、画像データを内部記憶部に記録保存させた後に内部記憶部内の画像データを記録メディアにコピーさせるダビング操作を行う必要があり、新たな画像をアルバム情報として追加保存する毎に、上述のような煩雑な操作を必要とすることは、ユーザに大きな負担をかけるという問題があった。
【０００５】
他方、カメラ撮影された画像の中には、その撮影目的、撮影対象(被写体)などに応じて恒久的に保管すべき画像、一時的な保管で足りる画像、プレゼント用の画像などが存在しており、画像データの保存の仕方は、撮影目的、撮影対象などによって異なるはずであるが、たとえば、常に全ての画像を内部記憶部および記録メディアの両方に記録保存させるものとすると、アルバム編集などの整理作業に時間を要するなど、ユーザに大きな負担をかけるという問題が発生する。
【０００６】
第１の発明の課題は、外部供給された撮影画像データを内部記憶部にアルバム情報として収集保存するほか、可搬型の外部記録メディアがセットされていることを条件に当該外部記録メディアにも保存できるようにすることである。
【０００７】
第２の発明の課題は、外部供給された撮影画像データを内部記憶部にアルバム情報として収集保存するか、可搬型の外部記録メディアに保存するか、内部記憶部および可搬型の外部記録メディアに保存するかを任意に選択できるようにすることである。
【０００８】
第３の発明の課題は、第１の記録メディアから読み出した画像データを内部記憶部に記録保存させる際に、第２の記録メディアがセットされていることを条件に、画像データを内部記憶部に記録させるほか、第２の記録メディアにも記録できるようにすることである。
【課題を解決するための手段】
【０００９】
請求項１記載の発明（第１の発明）は、外部供給された撮影画像データを内部記憶部にアルバム情報として収集保存する電子アルバム装置であって、可搬型の外部記録メディアがセットされているか否かを判別する判別手段と、この判別手段によって可搬型の外部記録メディアがセットされていることが判別された場合に、前記撮影画像データを内部記憶部に書き込んで保存させるほか、当該画像データを前記外部記録メディアにも書き込んで保存させる書込制御手段とを具備したことを特徴とする。
さらに、コンピュータに対して、上述した請求項１記載の発明に示した主要機能を実現させるためのプログラムを提供する（請求項７記載の発明）。
【００１０】
なお、請求項１記載の発明は次のようなものであってもよい。
前記判別手段によって可搬型の外部記録メディアがセットされていることが判別された際に、前記内部記憶部に保存させる撮影画像データを当該外部記録メディアにも保存させるか否かを問い合わせるための確認メッセージを出力するメッセージ出力手段を設け、この確認メッセージの出力に応答して記録保存を指示する肯定応答が入力された際に、前記撮影画像データを内部記憶部に保存させるほか、当該画像データを前記外部記録メディアにも保存させる（請求項２記載の発明）。
【００１１】
前記内部記憶部の空き容量に基づいて撮影画像データを内部記憶部に記録可能か否かを判別し、記録不可能な場合には、前記可搬型の外部記録メディアがセットされていることを条件に、当該撮影画像データを可搬型の外部記録メディアに書き込んで保存する（請求項４記載の発明）。
【００１２】
前記可搬型の外部記録メディアの空き容量に基づいて撮影画像データを当該外部記録メディアに記録可能か否かを判別し、記録不可能な場合には、外部記録メディアの交換を促すメッセージを出力する（請求項５記載の発明）。
【００１３】
請求項３記載の発明（第２の発明）は、外部供給された撮影画像データを取得して内部記憶部にアルバム情報として収集保存する電子アルバム装置であって、可搬型の外部記録メディアがセットされているか否かを判別する判別手段と、この判別手段によって可搬型の外部記録メディアがセットされていることが判別された場合に、前記撮影画像データを内部記憶部のみに保存させるか、前記可搬型の外部記録メディアのみに保存させるか、前記内部記憶部および可搬型の外部記録メディアの両方に保存させるかを問い合わせるための確認メッセージを出力するメッセージ出力手段と、この確認メッセージの出力に応答して画像データの保存先が任意に選択指定された際に、選択指定された保存先に対して撮影画像データを記録保存させる書込制御手段とを具備したことを特徴とする。
さらに、コンピュータに対して、上述した請求項３記載の発明に示した主要機能を実現させるためのプログラムを提供する（請求項８記載の発明）。
なお、請求項３記載の発明は、上述した請求項４および請求項５記載の発明であってもよい。
【００１４】
請求項６記載の発明（第３の発明）は、画像データを内部記憶部に記録保存する画像処理装置であって、第１の記録デバイスにセットされた第１の記録メディアから画像データを読み出して前記内部記憶部に転送記録させる際に、第２の記録デバイスに第２の記録メディアがセットされているか否かを判別する判別手段と、この判別手段によって第２の記録メディアがセットされていることが判別された場合に、前記画像データを前記内部記憶部に書き込み記録させると共に、同一の画像データを前記第２の記録メディアにも書き込み記録する書込制御手段とを具備したことを特徴とする。
さらに、コンピュータに対して、上述した請求項３記載の発明に示した主要機能を実現させるためのプログラムを提供する（請求項８記載の発明）。
なお、この画像処理装置は、電子アルバム装置に限らず、ハードディスクレコーダ、パーソナルコンピュータなどであってもよい。
【発明の効果】
【００１５】
請求項１記載の発明（第１の発明）によれば、可搬型の外部記録メディアがセットされているか否かを判別し、外部記録メディアがセットされていることが判別された場合に、外部供給された撮影画像データを内部記憶部にアルバム情報として収集保存するほか、当該画像データを外部記録メディアにも書き込んで保存するようにしたから、従来のように、画面データを保存先毎に別々に入力して保存指示操作を行ったり、画像データを内部記憶部に記録保存させた後に内部記憶部内の画像データを外部記録メディアにコピーさせるダビング操作を行う必要はなく、ユーザに負担をかけずに、恒久的な保管が可能となるほか、ＰＣあるいはテレビジョン受像機などでのスライドショー再生が可能となり、さらには、データバックアップとしての効果も併せ持つことができる。
【００１６】
請求項２記載の発明によれば、上述した請求項１記載の発明と同様の効果を有する他、可搬型の外部記録メディアがセットされている場合に、内部記憶部に保存させる撮影画像データを当該外部記録メディアにも保存させるか否かを問い合わせるための確認メッセージを出力し、この確認メッセージの出力に応答して記録保存を指示する肯定応答が入力された際には、撮影画像データを内部記憶部に保存させるほか、外部記録メディアにも保存するようにしたから、ユーザの希望を考慮して撮影画像データを外部記録メディアに保存することができる。
【００１７】
請求項４記載の発明によれば、上述した請求項１記載の発明と同様の効果を有する他、内部記憶部の空き容量に基づいて撮影画像データを内部記憶部に記録可能か否かを判別し、記録不可能な場合には、可搬型の外部記録メディアがセットされていることを条件に、当該撮影画像データを可搬型の外部記録メディアに書き込んで保存するようにしたから、内部記憶部が容量不足であっても確実な保存が可能となる。
【００１８】
請求項５記載の発明によれば、上述した請求項１記載の発明と同様の効果を有する他、可搬型の外部記録メディアの空き容量に基づいて撮影画像データを当該外部記録メディアに記録可能か否かを判別し、記録不可能な場合には、外部記録メディアの交換を促すメッセージを出力するようにしたから、膨大な画像データを外部記録メディアに記録保存する際に、画像データが複数個の外部記録メディアに跨って保管されるという不都合を確実に防止することが可能となる。
【００１９】
請求項３記載の発明（第２の発明）によれば、可搬型の外部記録メディアがセットされているか否かを判別し、可搬型の外部記録メディアがセットされている場合には、撮影画像データを内部記憶部のみに保存させるか、可搬型の外部記録メディアのみに保存させるか、内部記憶部および可搬型の外部記録メディアの両方に保存させるかを問い合わせるための確認メッセージを出力し、この確認メッセージの出力に応答して画像データの保存先が任意に選択指定された際に、選択指定された保存先に対して撮影画像データを記録保存するようにしたから、撮影目的、撮影対象などによって画像保存の仕方を容易に変更することができる。
なお、請求項３記載の発明は、上述した請求項４および５記載の発明と同様の効果を有する。
【００２０】
請求項６記載の発明（第３の発明）によれば、第１の記録デバイスにセットされた第１の記録メディアから画像データを読み出して内部記憶部に転送記録させる際に、第２の記録デバイスに第２の記録メディアがセットされているか否かを判別し、第２の記録メディアがセットされていれば、画像データを内部記憶部に記録させると共に、第２の記録メディアにも記録するようにしたから、画像データを内部記憶部に一旦保存した後に第２の記録メディアにダビングするというステップＳを踏む必要がなくなり、操作性を大幅に改善することが可能となる。つまり、元来、第２の記録メディアにも画像データを記録させたいという希望があるにも拘らず、内部記憶部のみの保存では、その後のダビング操作が必要となるが、画像データを保存させる際に第２の記録メディアをセットするだけで、特別な操作を行うことなく、第２の記録メディアにも同時に保存することが可能となる。
【発明を実施するための最良の形態】
【００２１】
以下、図１〜図４を参照して本発明の実施例を説明する。
図１は、この実施例における電子アルバム装置の基本的な構成要素を示したブロック図である。
この電子アルバム装置は、メモリカードを介して外部供給された撮影画像データを内蔵のハードディスクにアルバム情報として収集保存するもので、ＣＰＵ１は、内部記憶部２内の各種プログラムに応じてこの電子アルバム装置の全体動作を制御する中央演算処理装置である。内部記憶部２は、プログラム領域およびデータ領域を有する内蔵ハードディスク(ＨＤＤ)である。この内部記憶部２内のプログラム領域には、後述する図２〜図４に示す動作手順に応じて本実施例を実現するためのプログラムが格納され、また、そのデータ領域には、撮影画像データを保管する画像フォルダなどが設けられている。この内部記憶部２内のプログラム、データは、必要に応じてＲＡＭ（たとえば、スタティックＲＡＭ）３にロードされたり、このＲＡＭ３内のデータが内部記憶部２にセーブされる。なお、ＲＡＭ３は、プログラム実行領域と作業領域とを有している。
【００２２】
このＣＰＵ１には、その入出力周辺デバイスであるキー入力部４、表示部５が接続されているほか、リモートコントローラ(リモコン)用Ｉ／Ｆ(インターフェイス)６を介してリモコン７が接続されていると共に、カードドライブ８を介してメモリカード９が接続され、さらには、ＣＤ(Compact Disc)／ＤＶＤ(Digital Video Disc)ドライブ１０を介して可搬型の外部記録メディアであるＣＤ／ＤＶＤ１１が接続可能となっている。
キー入力部４は、カメラ撮影された画像データの保存を指示する保存ボタン、保存先を選択するメニュー画面の中から所望するメニュー項目を選択指定する選択ボタン、各種のキーなどを有している。表示部５は、各種のメッセージ情報などを案内表示する液晶表示装置などである。リモコン７は、遠隔操作を行う入力操作部であり、キー入力部４に対応する各種のボタン、キーなどが設けられている。
【００２３】
メモリカード９は、ＳＤカード、メモリステイクなどであり、デジタルカメラ装置(図示せず)で撮影された画像データを電子アルバム装置に外部供給するための画像記録メディアであり、このメモリカード９がそのカードドライブ８のスロットに挿入セットされた際に、カードドライブ８は、カードセット有り信号を出力してＣＰＵ1に与える。この場合、ＣＰＵ1は、上述した画像データの保存を指示する保存ボタンが操作された際に、メモリカード９の挿入有無を監視し、メモリカード９がセットされていることを条件に画像データの保存処理を実行するようにしている。
【００２４】
ＣＤ／ＤＶＤ１１は、メモリカード９から読み出された撮影画像データを記録保存するための可搬型の画像記録メディアであり、比較的大容量の画像データを記録可能なもので、ＣＤ／ＤＶＤドライブ１０は、そのトレイにＣＤ、ＤＶＤの何れか一方が挿入セットされると、ディスクセット有り信号を出力してＣＰＵ1に与えるほか、ＣＰＵ１の制御下でＣＤ／ＤＶＤ１１をアクセスして画像データの書き込み動作を行う。この場合、ＣＰＵ１は、ＣＤ／ＤＶＤ１１のセット挿入の有無を監視しており、メモリカード９から読み出し取得した画像データをＣＤ／ＤＶＤ１１がセットされていることを条件に、ＣＤ／ＤＶＤドライブ１０に与えてＣＤ／ＤＶＤ１１に記録保存させる。
【００２５】
次ぎに、この実施例における電子アルバム装置の動作概念を図２〜図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体の他に、伝送媒体を介して外部供給されたプログラム／データを利用してこの実施例特有の動作を実行することもできる。
【００２６】
図２〜図４は、カメラ撮影された画像データを記録保存する画像保存処理を示したフローチャートであり、電源投入に伴って実行開始される。
先ず、ＣＰＵ１は、カメラ撮影された画像データが記録保存されているメモリカード９の挿入有無をチェックし(ステップＳ１)、メモリカード９が挿入されていれば、そのカードドライブ８を介して当該メモリカード９をアクセスすることによってメモリカード９に画像データが格納されているか否かを判別する(ステップＳ２)。ここで、メモリカード９が挿入されていなければ(ステップＳ１でＮＯ)、メモリカード９の挿入を促すメッセージを表示出力させ(ステップＳ３)、また、メモリカード９が挿入されていても画像データが格納されていなければ(ステップＳ２でＮＯ)、メモリカード９の交換を促すメッセージを表示出力させる(ステップＳ３)。
【００２７】
いま、メモリカード９が挿入されていて画像データが格納されていれば、上述の保存ボタンの操作待ちとなる(ステップＳ４)。この状態において、保存ボタンが操作されると、メモリカード９に記録されている全画像分のデータ総量を求めるために、ＣＰＵ1は、ＲＡＭ３を構成する作業領域の容量分(ＲＡＭ容量分)の画像データをメモリカード９から読み出してＲＡＭ３の作業領域に一時記憶させる(ステップＳ５)。そして、この作業領域に記憶された今回分のデータ量を算出してデータ総量を更新した後(ステップＳ６)、ＲＡＭ３の作業領域内の画像データ(ＲＡＭ内データ)を消去する(ステップＳ７)。以下、メモリカード９から全ての画像データを読み出すまで(ステップＳ８)、ＲＡＭ容量分の画像データをメモリカード９から順次読み出しながらデータ総量を更新する処理を繰り返す(ステップＳ５〜Ｓ８)。
【００２８】
このようにしてメモリカード９に記録されている全画像分のデータ総量を求める処理が終了すると、保存先選択メニューを表示出力させる(ステップＳ９)。この保存先の選択メニュー画面は、カメラ撮影された画像データを内部記憶部(内蔵ハードディスク)２のみに保存させるか、ＣＤ／ＤＶＤ１１のみに保存させるか、内蔵ハードディスク２およびＣＤ／ＤＶＤ１１の両方に保存させるかを問い合わせるための確認メッセージと共に、メニュー項目(１)、(２)、(３)を表示するもので、メニュー項目(１)は「内蔵ハードディスク２だけの保存」、メニュー項目(２)は「ＣＤ／ＤＶＤ１１だけの保存」、メニュー項目(３)は「内蔵ハードディスク２およびＣＤ／ＤＶＤ１１の両方への保存」を示している。
【００２９】
ここで、保存先として、内蔵ハードディスク２が選択指定されたか、つまり、上述のメニュー項目(１)あるいはメニュー項目(３)の何れかが選択指定されたかを判別し(ステップＳ１０)、メニュー項目(２)が選択指定された場合には(ステップＳ１０でＮＯ)、図４のステップＳ１９に移るが、メニュー項目(１)あるいはメニュー項目(３)が選択指定された場合には(ステップＳ１０でＹＥＳ)、図３のステップＳ１１に移って内蔵ハードディスク２の空き容量を算出する処理を実行する。
【００３０】
そして、上述のようにして算出したメモリカード９内のデータ総量と内蔵ハードディスク２の空き容量とを比較することによってメモリカード９に記録されている全画像分のデータを内蔵ハードディスク２に記録可能か否かを判別し(ステップＳ１２)、記録不可能であれば、内蔵ハードディスク２に代えてＣＤ／ＤＶＤ１１に保存する旨のメッセージを表示した後(ステップＳ１３)、図４のステップＳ１９に移るが、記録可能であれば(ステップＳ１２でＹＥＳ)、メモリカード９に記録されている全画像分のデータを内蔵ハードディスク２に記録保存する処理を行う(ステップＳ１４〜Ｓ１７)。
【００３１】
すなわち、ＲＡＭ３を構成する作業領域の容量分(ＲＡＭ容量分)の画像データをメモリカード９から読み出してＲＡＭ３の作業領域に一時記憶させる(ステップＳ１４)。そして、この作業領域に記憶された今回分の画像データを内蔵ハードディスク２に転送して書き込むと共に(ステップＳ１５)、書き込み済みのＲＡＭ３内の画像データを全て消去する(ステップＳ１６)。以下、メモリカード９から全ての画像データを内蔵ハードディスク２に記録させるまで(ステップＳ１７)、ＲＡＭ２内の画像データを順次読み出して内蔵ハードディスク２に書き込む処理を繰り返す(ステップＳ１４〜Ｓ１７)。これによって内蔵ハードディスク２への書き込みが終了すると、保存先としてＣＤ／ＤＶＤ１１が選択指定されているか、つまり、上述のメニュー項目(２)あるいはメニュー項目(３)の何れかが選択指定されているかを判別する(ステップＳ１８)。
【００３２】
メニュー項目(１)が選択指定されている場合には、ステップＳ１８でＮＯと判断されて図４のステップＳ３０に移り、保存完了を示すメッセージを表示出力させるが、メニュー項目(２)あるいはメニュー項目(３)の何れかが選択指定されている場合には(ステップＳ１８でＹＥＳ)、ＣＤ／ＤＶＤ１１の挿入有無を調べる(図４のステップＳ１９)。ここで、ＣＤ／ＤＶＤ１１が挿入セットされていなければ、ＣＤ／ＤＶＤ１１の挿入を促すためのメッセージを表示出力させた後(ステップＳ２０)、ＣＤ／ＤＶＤ１１の挿入待ち状態となる(ステップＳ１９)。
【００３３】
ＣＤ／ＤＶＤ１１が挿入セットされていれば、ＣＰＵ１は、ＣＤ／ＤＶＤ１１の空き容量を算出する(ステップＳ２１)。そして、上述のようにして算出したメモリカード９内のデータ総量とＣＤ／ＤＶＤ１１の空き容量とを比較することによって、メモリカード９に記録されている全画像分のデータをＣＤ／ＤＶＤ１１に記録可能か否かを判別し(ステップＳ２２)、記録不可能であれば、新規なＣＤ／ＤＶＤ１１に交換すべき旨のメッセージを表示出力させた後(ステップＳ２３)、ＣＤ／ＤＶＤ１１の交換待ち状態となる(ステップＳ１９)。
【００３４】
いま、メモリカード９内の全画像分のデータをＣＤ／ＤＶＤ１１に記録可能であれば(ステップＳ２２でＹＥＳ)、ＣＤ／ＤＶＤ１１への書き込みを開始する旨のメッセージを表示出力させた後(ステップＳ２４)、ＣＤ／ＤＶＤ１１への書き込みを許諾するＯＫ(肯定)を示す入力応答の有無を判別し(ステップＳ２５)、拒否の入力応答であれば、この時点で画像保存処理を終了させるが、ＣＤ／ＤＶＤ１１への書き込みを許諾する入力応答を受けた場合には、メモリカード９に記録されている全画像分のデータをＣＤ／ＤＶＤ１１に記録保存する処理を行う(ステップＳ２６〜Ｓ２９)。
【００３５】
すなわち、ＲＡＭ容量分の画像データをメモリカード９から読み出してＲＡＭ３の作業領域に一時記憶させる(ステップＳ２６)。そして、この作業領域に記憶された今回分の画像データをＣＤ／ＤＶＤ１１に転送して書き込むと共に(ステップＳ２７)、書き込み済みのＲＡＭ３内の画像データを全て消去する(ステップＳ２８)。以下、メモリカード９から全ての画像データをＣＤ／ＤＶＤ１１に記録させるまで(ステップＳ２９)、ＲＡＭ２内の画像データを順次読み出してＣＤ／ＤＶＤ１１に書き込む処理を繰り返す(ステップＳ２６〜Ｓ２９)。これによってＣＤ／ＤＶＤ１１への書き込みが終了すると、保存完了を示すメッセージを表示出力させる(ステップＳ３０)。
【００３６】
以上のように、この実施例の電子アルバム装置において、ＣＰＵ１は、可搬型の外部記録メディアであるＣＤ／ＤＶＤ１１がセットされているか否かをＣＤ／ＤＶＤドライブ１０からのディスクセット有り信号に基づいて判別し、ＣＤ／ＤＶＤ１１がセットされていれば、メモリカード９から外部供給された撮影画像データを内部記憶部２にアルバム情報として収集保存するほか、当該画像データをＣＤ／ＤＶＤ１１にも書き込んで保存するようにしたから、従来のように、画面データを保存先毎に別々に入力して保存指示操作を行ったり、画像データを内部記憶部に記録保存させた後に内部記憶部内の画像データを外部記録メディアにコピーさせるダビング操作を行う必要はなく、ユーザに負担をかけずに、恒久的な保管が可能となるほか、ＰＣあるいはテレビジョン受像機などでのスライドショー再生が可能となり、さらには、データバックアップとしての効果も併せ持つことができる。
【００３７】
この場合、ＣＤ／ＤＶＤ１１がセットされている場合に、内部記憶部２に保存させる撮影画像データを当該ＣＤ／ＤＶＤ１１にも保存させるか否かを問い合わせるための確認メッセージを表示出力し、この確認メッセージの出力に応答して記録保存を指示する肯定応答が入力された際には、撮影画像データを内部記憶部２に保存させるほか、ＣＤ／ＤＶＤ１１にも保存するようにしたから、ユーザの希望を考慮して撮影画像データをＣＤ／ＤＶＤ１１に保存することができる。
【００３８】
ＣＰＵ１は、メモリカード９に記録されている全画像分のデータ総量を検出すると共に、内部記憶部２の空き容量を検出し、このデータ総量と空き容量とを比較することによって当該メモリカード９内の全画像分のデータを内部記憶部２に記録可能か否かを判別し、記録不可能な場合には、ＣＤ／ＤＶＤ１１がセットされていることを条件に、撮影画像データをＣＤ／ＤＶＤ１１に書き込んで保存するようにしたから、内部記憶部２が容量不足であっても確実な保存が可能となる。
【００３９】
また、ＣＰＵ１は、ＣＤ／ＤＶＤ１１の空き容量に基づいて撮影画像データを当該ＣＤ／ＤＶＤ１１に記録可能か否かを判別し、記録不可能な場合には、ＣＤ／ＤＶＤ１１の交換を促すメッセージを出力するようにしたから、膨大な画像データをＣＤ／ＤＶＤ１１に記録保存する際に、画像データが複数個のＣＤ／ＤＶＤ１１に跨って保管されるという不都合を確実に防止することが可能となる。
【００４０】
ＣＰＵ１は、ＣＤ／ＤＶＤ１１がセットされているか否かを判別し、ＣＤ／ＤＶＤ１１がセットされている場合には、撮影画像データを内部記憶部２のみに保存させるか、ＣＤ／ＤＶＤ１１のみに保存させるか、内部記憶部２およびＣＤ／ＤＶＤ１１の両方に保存させるかを問い合わせるための確認メッセージを出力し、この確認メッセージの出力に応答して画像データの保存先が任意に選択指定された際に、選択指定された保存先に対して撮影画像データを記録保存するようにしたから、撮影目的、撮影対象などによって画像保存の仕方を容易に変更することが可能となる。
【００４１】
なお、上述した実施例においては、撮影画像データをメモリカード９から外部供給するようにしたが、カメラ装置をＵＳＢ端子に接続することによってカメラ装置から直接的に外部供給するようにしてもよい。さらには、無線通信手段を介して画像データを外部供給するようにしてもよい。
また、上述した実施例においては、言及しなかったが、外部供給される画像データは、静止画に限らず、動画であってもよく、また、音声データ付きの画像データであってもよい。
【００４２】
上述した実施例においては、メモリカード９の挿入を促すメッセージ、また、メモリカード９の交換を促すメッセージ、さらに、保存先を問い合わせるための確認メッセージを表示出力するようにしたが、勿論、メッセージ出力手段は任意であり、音声合成によってメッセージを音声出力するようにしてもよい。
上述した実施例においては、可搬型の外部記録メディアとして、ＣＤ／ＤＶＤ１１を例示したが、可搬型、着脱式のＨＤＤなどであってもよい。
その他、上述した実施例においては、電子アルバム装置に適用した場合を例示したが、ハードディスクレコーダ、パーソナルコンピュータなどにも同様に適用可能である。
【００４３】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、可搬型の外部記録メディアがセットされているか否かを判別する機能と、可搬型の外部記録メディアがセットされていることが判別された場合に、外部供給された撮影画像データを内部記憶部にアルバム情報として書き込んで収集保存するほか、当該画像データを前記外部記録メディアにも書き込んで保存する機能とを実現させるためのプログラムを記録したコンピュータが読み取り可能な記録媒体を提供するようにしてもよい。
【００４４】
また、コンピュータが読み取り可能なプログラムコードを有する記録媒体であって、可搬型の外部記録メディアがセットされているか否かを判別する機能と、可搬型の外部記録メディアがセットされていることが判別された場合に、外部供給された撮影画像データを内部記憶部のみに保存させるか、前記可搬型の外部記録メディアのみに保存させるか、前記内部記憶部および可搬型の外部記録メディアの両方に保存させるかを問い合わせるための確認メッセージを出力する機能と、この確認メッセージの出力に応答して画像データの保存先が任意に選択指定された際に、選択指定された保存先に対して撮影画像データを記録保存する機能とを実現させるためのプログラムを記録したコンピュータが読み取り可能な記録媒体を提供するようにしてもよい。
【００４５】
また、コンピュータが読み取り可能なプログラムコードを有する記録媒体であって、第１の記録デバイスにセットされた第１の記録メディアから画像データを読み出して前記内部記憶部に転送記録させる際に、第２の記録デバイスに第２の記録メディアがセットされているか否かを判別する機能と、この判別手段によって第２の記録メディアがセットされていることが判別された場合に、前記画像データを前記内部記憶部に書き込み記録させると共に、同一の画像データを前記第２の記録メディアにも書き込み記録する機能とを実現させるためのプログラムを記録したコンピュータが読み取り可能な記録媒体を提供するようにしてもよい。
【図面の簡単な説明】
【００４６】
【図１】電子アルバム装置の基本的な構成要素を示したブロック図。
【図２】電源投入に伴って実行開始され、カメラ撮影された画像データを記録保存する画像保存処理を示したフローチャート。
【図３】図２に続く、画像保存処理を示したフローチャート。
【図４】図２、図３に続く、画像保存処理を示したフローチャート。
【符号の説明】
【００４７】
１  ＣＰＵ
２  内部記憶部(内蔵ハードディスク)
４  キー入力部
５  表示部
８  カードドライブ
９  メモリカード
１０  ＣＤ／ＤＶＤドライブ
１１  ＣＤ／ＤＶＤ
【図１】
2006128864.tif 000003
【図２】
2006128864.tif 000004
【図３】
2006128864.tif 000005
【図４】
2006128864.tif 000006